(57)【要約】【課題】会員登録された遊技者に係る各種データの占有比率を自動的に算出し、その占有比率を示すデータを遊技場の経営指標として有効活用すること。【解決手段】ホストコンピュータ４は、パチンコ遊技機１での遊技データ及び台間玉貸機２での貸出高データを管理用データとして集計して遊技場機器データベースに蓄積する。また、ホストコンピュータ４は、会員カードが台間玉貸機２で利用されたときに、その台間玉貸機２及び隣接するパチンコ遊技機１についての貸出高データ及び遊技データを当該会員カードに対応した遊技者毎の利用履歴データとして集計して会員データベースに蓄積すると共に、当該利用履歴データと遊技場機器データベース中の管理用データとの比較に基づいて、会員登録された遊技者に係る各種データが遊技場全体の各種データに占める割合をそれぞれ会員比率として算出する。【選択図】  図１
2004181056.tif 000002
【特許請求の範囲】
【請求項１】
遊技媒体貸出手段及びこの遊技媒体貸出手段を通じて貸し出された遊技媒体により遊技を行う遊技機などの遊技場機器が設置された遊技場用の管理システムであって、前記遊技機での遊技データ及び前記遊技媒体貸出手段での貸出高データなどの管理用データを集計して遊技場機器データベースに蓄積する管理手段を備えた遊技場用管理システムにおいて、
前記遊技場機器は、遊技場側に会員登録された遊技者を特定可能な会員特定媒体の利用に応じて当該遊技者に所定のサービスを提供できるように構成され、
前記管理手段は、前記会員特定媒体が前記遊技場機器で利用されたときに、その遊技場機器についての管理用データを当該会員特定媒体に対応した遊技者毎の利用履歴データとして集計して会員データベースに蓄積すると共に、当該利用履歴データと前記遊技場機器データベース中の管理用データとの比較に基づいて、会員登録された遊技者に係る各種データの占有比率を算出することを特徴とする遊技場用管理システム。
【発明の詳細な説明】
【０００１】
【発明の属する技術分野】
本発明は、遊技場側に会員登録された遊技者を特定可能な会員特定媒体を利用して遊技機での遊技データなどの種々のデータを集計管理可能に構成された遊技場用管理システムに関する。
【０００２】
【従来の技術】
パチンコホールのような遊技場では、他の遊技場との差別化を図って集客効果を高めるために、種々のサービスを享受できる遊技会員を募集することが行われている。この場合には、遊技会員となった顧客（遊技者）に対しＩＤ情報を記録した会員カードを発行し、その会員カードの利用をもって予め決められたサービスを提供するというカードシステムが構築される。このようなカードシステムを採用した場合には、そのシステムの有用性を検証して遊技場の経営指標の参考にするために、遊技会員と非遊技会員について種々の管理用データを個別に算出することが望ましい。このような要望に対処可能な手段としては、例えば、会員カードの他に、非遊技会員（ビジター）のためのビジターカードを発行し、各管理用データを会員カード及びビジターカード毎に確認できるようにした手段が考えられている（例えば、特許文献１参照）。
【０００３】
【特許文献１】
特開２００２−２９２０７５号公報
【０００４】
【発明が解決しようとする課題】
従来では、遊技会員と非遊技会員についての各種管理用データの比率を簡単に把握できないため、会員カードを利用したカードシステムの有用性の検証を的確に行うことが困難になるなどの問題点があった。
【０００５】
本発明は上記事情に鑑みてなされたものであり、その目的は、会員登録された遊技者に係る各種データの占有比率を自動的に算出できて、その占有比率を示すデータを遊技場の経営指標として有効活用することが可能になる遊技場用管理システムを提供することにある。
【０００６】
【課題を解決するための手段】
本発明は、上記目的を達成するために、遊技媒体貸出手段及びこの遊技媒体貸出手段を通じて貸し出された遊技媒体により遊技を行う遊技機などの遊技場機器が設置された遊技場用の管理システムであって、前記遊技機での遊技データ及び前記遊技媒体貸出手段での貸出高データなどの管理用データを集計して遊技場機器データベースに蓄積する管理手段を備えた遊技場用管理システムにおいて、
前記遊技場機器を、遊技場側に会員登録された遊技者に対し発行された会員特定媒体の利用に応じて当該遊技者に所定のサービスを提供できるように構成した上で、前記管理手段を、前記会員特定媒体が前記遊技場機器で利用されたときに、その遊技場機器についての管理用データを当該会員特定媒体に対応した遊技者毎の利用履歴データとして集計して会員データベースに蓄積すると共に、当該利用履歴データと前記遊技場機器データベース中の管理用データとの比較に基づいて、会員登録された遊技者に係る各種データの占有比率を算出する構成としたものである。
【０００７】
この構成によれば、管理手段は、遊技機での遊技データ及び遊技媒体貸出手段での貸出高データなどの管理用データを集計して遊技場機器データベースに蓄積する一方で、会員特定媒体が遊技機や遊技媒体貸出手段などの遊技場機器で利用されたときに、その遊技場機器についての管理用データを当該会員特定媒体に対応した遊技者毎の利用履歴データとして集計して会員データベースに蓄積する。
さらに、管理手段は、このような利用履歴データと前記遊技場機器データベース中の管理用データとの比較に基づいて、会員登録された遊技者に係る各種データの占有比率を算出するようになる。従って、遊技場機器において管理用データとして得られる種々のデータについての会員による占有比率、ひいては会員及び非会員間の比率を示す情報が自動的に算出されることなり、このような情報を把握することによって、会員特定媒体を利用したカードシステムの有用性を的確に判断可能になるなど、そのデータを遊技場の経営指標に活用可能となる。
【０００８】
【発明の実施の形態】
以下、本発明をパチンコ遊技機が設置された遊技場（パチンコホール）用の管理システムに適用した一実施例について図面を参照しながら説明する。尚、本実施例では、事前に会員登録された遊技者に対してＩＤカードとしての会員カード（会員特定媒体）を発行し、その会員カードの利用をもって種々のサービス（貯玉、再プレイなど）を提供するカードシステムが構築された遊技場を対象としている。
【０００９】
図１には、遊技場用管理システムの全体構成が概略的に示されている。この図１において、遊技場機器として多数台ずつ設置されたパチンコ遊技機１及び台間玉貸機２（遊技媒体貸出手段に相当）は、それぞれに対応して設けられた入出力装置３と接続されている。この場合、パチンコ遊技機１から入出力装置３には、周知のアウト玉数信号、セーフ玉数信号、スタート信号、特賞信号などが出力される。
【００１０】
台間玉貸機２は、図２のような正面外観を備えている。この図２において、台間玉貸機２は、稼働状態及びエラー状態などを表示するための状態表示ランプ２ａ、図示しないプリペイドカードがセットされるカードスロット２ｂ、そのプリペイドカードの度数を表示するポイント表示部２ｃ、玉貸ボタン２ｄ、暗証番号の入力などに使用されるテンキースイッチ２ｅ、玉払出ノズル２ｆ、図示しない会員カードが挿入されるカードリーダ２ｇ、その挿入会員カードのためのカード排出ボタン２ｈ、貯玉数表示部２ｉ、貯玉払出ボタン２ｊなどを備えた構成となっている。
【００１１】
この台間玉貸機２は、カードスロット２ｂに対し残高数度があるプリペイドカードがセットされた状態で玉貸ボタン２ｄが押下げ操作されたときに、当該プリペイドカードの残高度数の範囲内でパチンコ玉を放出（返却）するＣＲ機（カードリーダ機）としての機能、並びにカードリーダ２ｇに会員カードが挿入された状態で当該会員カードに対応した貯玉口座に貯玉残高がある場合に、貯玉払出ボタン２ｊの押下げ操作に応じて貯玉残高の範囲内でパチンコ玉を引き落として放出（返却）するという再プレイ機としての機能を備えたものである。尚、台間玉貸機２からの放出パチンコ玉は、玉放出ノズル２ｆからパチンコ遊技機１の上皿（符号なし）へ供給されるようになっている。要するに、パチンコ遊技機１及び台間玉貸機２は、会員カードの利用者に対して上述のような再プレイ権利をサービスとして提供できることになる。
【００１２】
図１に翻って、台間玉貸機２から入出力装置３には、プリペイドカードによる売上（遊技者側から見た場合には投資金額）を示す売上信号、貯玉の返却数を示す再プレイ玉数信号などが出力される。
遊技場施設である管理事務所内には、遊技場用集中管理装置としてのホストコンピュータ４（管理手段に相当）が設けられており、前記入出力装置３は、このホストコンピュータ４に対してＬＡＮ５を介して接続されている。
この場合、ホストコンピュータ４においては、パチンコ遊技機１及び台間玉貸機２から出力される種々の信号（アウト玉数信号、セーフ玉数信号、スタート信号、特賞信号、売上信号、再プレイ玉数信号など）に基づいて、遊技場内の全部のパチンコ遊技機１での各種の遊技データ及び台間玉貸機２での各種の貸出高データを管理用データとして集計して遊技場機器データベースに蓄積する機能を備えている。
【００１３】
ここで、上記遊技データとしては、例えば、パチンコ遊技機１でのアウト玉数、セーフ玉数、差玉数、出玉率、稼働時間、特賞回数、スタート回数が集計され、上記貸出高データとしては、例えば、台間玉貸機２での売上金額、補正売上金額（売上金額と返却された再プレイ玉の金額換算値の合計）が集計される。
【００１４】
また、ホストコンピュータ４は、パチンコ遊技機１での遊技がこれに対応した台間玉貸機２のカードリーダ２ｇに会員カードが挿入された状態で行われた場合に、その状態でパチンコ遊技機１及び台間玉貸機２から出力される各信号に基づいて、会員となっている遊技者毎の管理用データ、つまり、遊技データ（アウト玉数、セーフ玉数、差玉数、出玉率、稼働時間、特賞回数、スタート回数）及び貸出高データ（売上金額、補正売上金額）を利用履歴データとして集計し、この利用履歴データを当該ホストコンピュータ４側に構築された会員データベースに蓄積する構成となっている。
【００１５】
尚、図示しないが、ホストコンピュータ４には、他の遊技場機器であるパチンコ玉計数機やＰＯＳ端末がＬＡＮ５を介して接続されている。この場合、実際には、ホストコンピュータ４は、パチンコ玉計数機からの計数結果やＰＯＳ端末からの景品払出結果なども、遊技場機器データベース及び会員データベースにそれぞれ管理用データ及び利用履歴データとして蓄積する構成となっている。
【００１６】
さて、ホストコンピュータ４は、上述のように蓄積した遊技場機器管理データ及び利用履歴データの比較に基づいて、以下のような演算処理を行う構成となっている。
即ち、ホストコンピュータ４は、遊技場機器データベースに蓄積された管理用データ中の貸出高データ（遊技場全体の売上金額及び補正売上金額値）と、会員データベースに蓄積された利用履歴データ中の貸出高データ（会員となっている遊技者に係る売上金額及び補正売上金額）とを個別に比較し、会員となっている遊技者に係る売上金額及び補正売上金額の各データが、遊技場全体の売上金額及び補正売上の各データに占める割合をそれぞれ会員比率（本発明でいう占有比率に相当）として算出する。そして、ホストコンピュータ４は、売上金額及び補正売上金額について、遊技場全体の集計値、会員分の集計値、並びに上述のように算出した会員比率を含む図３のような売上集計帳票を出力する。
【００１７】
また、ホストコンピュータ４は、遊技場機器データベースに蓄積された管理用データ中の遊技データのうちの出玉率を除く各データ（アウト玉数、セーフ玉数、差玉数、稼働時間、特賞回数、スタート回数）と、会員データベースに蓄積された利用履歴データ中の遊技データのうちの出玉率を除く各データ（アウト玉数、セーフ玉数、差玉数、稼働時間、特賞回数、スタート回数）とを個別に比較し、会員となっている遊技者に係る上記各データが、遊技場全体の上記各データに占める割合をそれぞれ会員比率（占有比率）として算出する。そして、ホストコンピュータ４は、アウト玉数、セーフ玉数、差玉数、出玉率、稼働時間、特賞回数、スタート回数についての、遊技場全体の平均値、会員分の平均値、並びに上述のように算出した会員比率を含む図４のような台データ集計帳票を出力する（出玉率については、上述したように会員比率を演算しない）。
【００１８】
以上要するに、ホストコンピュータ４は、パチンコ遊技機１での遊技データ（本実施例ではアウト玉数、セーフ玉数、差玉数、出玉率、稼働時間、特賞回数、スタート回数）及び台間玉貸機２での貸出高データ（本実施例では売上金額、補正売上金額）を管理用データとして集計して遊技場機器データベースに蓄積する一方で、会員カードが台間玉貸機２で利用されたときに、その台間玉貸機２及びこれに隣接したパチンコ遊技機１についての管理用データを当該会員カードに対応した遊技者毎の利用履歴データとして集計して会員データベースに蓄積する。
そして、遊技場機器データベース中の管理用データと会員データベース中の利用履歴データの比較に基づいて、会員登録された遊技者による遊技データが遊技場全体の遊技データに占める割合を会員比率として算出すると共に、会員登録された遊技者による貸出高データが遊技場全体の貸出高データに占める割合を会員比率として算出し、このように算出した会員比率を含む台データ集計帳票（図４参照）及び売上集計帳票（図３参照）を出力する。従って、パチンコ遊技機１及び台間玉貸機２において管理用データとして得られる種々の遊技データ及び貸出高データについて、会員による占有比率（会員についてのデータと遊技場全体のデータとの比率）が自動的に算出されることなり、このような比率を把握することによって、本実施例のような会員カードを利用したカードシステムの有用性を的確に判断可能になるなど、そのデータを遊技場の経営指標に活用可能となる。
【００１９】
尚、本発明は上記し且つ図面に示した実施例に限定されるものではなく、以下に述べるような変形または拡大が可能である。
パチンコ遊技機以外の遊技機、例えばパチスロ機が設置された遊技場にも適用できる。この場合には、遊技データ及び貸出高データをパチンコ遊技機及びパチスロ機に区分して集計することになる。また、パチンコ玉計数機からの計数結果やＰＯＳ端末からの景品払出結果などのようなデータについても、その会員比率を同様に算出すると共に、これに応じた集計帳票を出力する構成としても良い。
【００２０】
所謂封入式パチンコ遊技機のように、遊技者側の獲得パチンコ玉数がクレジットとして記録される形式の遊技機を対象とする場合であっても、本発明の構成を同様に適用できる。
会員特定媒体として会員カードの例を挙げたが、会員を特定できるものであれば他の形態のものであっても良い。
【図面の簡単な説明】
【図１】本発明の一実施例を示すシステム全体の概略的構成図
【図２】台間玉貸機の正面図
【図３】売上集計帳票の出力例を示す図
【図４】台データ集計帳票の出力例を示す図
【符号の説明】
１はパチンコ遊技機（遊技場機器）、２は台間玉貸機（遊技場機器、遊技媒体貸出手段）、３は入出力装置、４はホストコンピュータ（管理手段）、５はＬＡＮを示す。
【図１】
2004181056.tif 000003
【図２】
2004181056.tif 000004
【図３】
2004181056.tif 000005
【図４】
2004181056.tif 000006